(57)【要約】【課題】  施工性に優れ、メンテナンスし易い床を提供する。【解決手段】  床材と、床材調整材と、床材カバーとを備え、床材カバーは、前桁又は根太掛けの少なくとも一方側に上から取り付けてあり、床材調整材は、一方側にネジ止め部、他方側に重なり代を有し、重なり代は、隣接する床材調整材又は床材と重なり合う。【選択図】      図１
2019178510.tif 000002
【特許請求の範囲】
【請求項１】
床材と、床材調整材と、床材カバーとを備え、床材カバーは、前桁又は根太掛けの少なくとも一方側に上から取り付けてあり、床材調整材は、一方側にネジ止め部、他方側に重なり代を有し、重なり代は、隣接する床材調整材又は床材と重なり合うことを特徴とする床。
【発明の詳細な説明】
【技術分野】
【０００１】
本発明は、床に関する。
【背景技術】
【０００２】
従来の床では、床の出幅に合わせて床材の幅を調整するために、端部に配置する床材の長手方向全長を切断する必要があり、施工に手間が掛かっていた。
【先行技術文献】
【非特許文献】
【０００３】
【非特許文献１】「ガーデンルーム  ハピーナ（デッキＩＮ仕様）  施工要領書（ＨＺ１４７６Ｉ）」三協立山株式会社、２０１７年５月、ｐ．１６９−１７０
【発明の概要】
【発明が解決しようとする課題】
【０００４】
本発明は上記課題を鑑み、施工性に優れ、メンテナンスし易い床を提供することを目的とする。
【課題を解決するための手段】
【０００５】
本発明の床は、床材と、床材調整材と、床材カバーとを備え、床材カバーは、前桁又は根太掛けの少なくとも一方側に上から取り付けてあり、床材調整材は、一方側にネジ止め部、他方側に重なり代を有し、重なり代は、隣接する床材調整材又は床材と重なり合うことを特徴とする。
【発明の効果】
【０００６】
本発明によれば、床材調整材の重なり代は、隣接する床材調整材又は床材と重なり合うため、床材調整材によって幅の調整が可能であり、施工性に優れる。また、床材カバーは、前桁又は根太掛けの少なくとも一方側に上から取り付けてあるためメンテナンス性が良い。
【図面の簡単な説明】
【０００７】
【図１】図３のＡ−Ａ線断面図である。
【図２】本発明の床を備える簡易構造物を示し、（ａ）は正面図、（ｂ）は側面図である。
【図３】床の平面図である。
【図４】床材調整材の側面図である。
【図５】（ａ）（ｂ）は床材調整材の使用例を示す図である。
【図６】（ａ）（ｂ）は床の施工手順を示す概略図である。
【図７】床の施工手順を示す概略図である。
【図８】床の施工手順を示す概略図である。
【図９】床の他の実施形態の断面図である。
【発明を実施するための形態】
【０００８】
以下、本発明の実施の形態を図面に基づいて説明する。ここでは、図２のように、建物の外壁Ｘに隣接して設置されるデッキやテラス等の簡易構造物Ｙに床１を適用した場合を示す。なお、本発明を構成する床材カバー１０は、前桁３又は根太掛け４の少なくとも一方側に取り付けられるものであるため、図１から図８に示す実施形態においては、床材カバー１０を前桁３側に取り付ける場合を示し、前桁３側（床１が突出する側）を一方側、根太掛け４側（建物側）を他方側とする。また、簡易構造物Ｙを一方側から見て左右方向を定める。
【０００９】
簡易構造物Ｙは、外壁Ｘから間隔をあけて一方側に柱２ａ，２ａ、外壁Ｘに当接する他方側に躯体方立２ｂ，２ｂを、それぞれ左右に間隔をあけて有し、柱２ａと躯体方立２ｂの間に床１を備える。床１は、図３に示すように、柱２ａ，２ａ間に左右方向に取り付けられた前桁３と、外壁Ｘに固定されて躯体方立２ｂ，２ｂ間に左右方向に取り付けられた根太掛け４と、柱２ａと躯体方立２ｂの間に取り付けられた妻桁５，５によって枠組みされている。前桁３は柱２ａ，２ａ間の中間部において束柱２ｃに支持されている。また、前桁３と根太掛け４の中間部には左右方向に延びる大引き９を備え、大引き９は複数の束柱２ｃ，２ｃ…によって支持されている。前桁３と根太掛け４の間には、複数の根太６，６…が大引き９と直交するように架設してあり、根太６上には、図１及び図３に示すように、複数の床材８，８…が長手方向を左右方向として、床１の出幅方向に複数敷設してある。一方側の端部に配置された床材８と前桁３との間には、長手方向を左右方向として床材調整材７が取り付けてある。そして、前桁３と床材調整材７との隙間、及び妻桁５と床材８との隙間を覆うように、三つの床材カバー１０，１１，１１が上方から取り付けてある。
【００１０】
前桁３は、図１に示すように、床１の一方側に取り付けられる断面略矩形の中空形材であり、左右方向に延びている。前桁３の他方側面には長手方向に沿って支持部３ａが設けてあり、支持部３ａの上方には床材カバー取付部３ｂが設けてある。支持部３ａ及び床材カバー取付部３ｂは他方側に向かって延出しており、支持部３ａは根太６を支持し、床材カバー取付部３ｂには床材カバー１０がネジ止めしてある。
【００１１】
根太掛け４は、前桁３と平行に延び、床１の他方側において外壁Ｘに取り付けられる断面コ字形状の桁材であり、一方側に開口が向いている。根太掛け４の一方側面下端には支持部４ａが設けてあり、一方側面上端にはカバー部４ｂが設けてある。支持部４ａ及びカバー部４ｂは一方側に向かって延出しており、支持部４ａは根太６を支持し、カバー部４ｂは他方側端部に配置された床材８の上面に当接している。
【００１２】
大引き９は、床１の出幅に応じて設けられる断面略矩形の中空形材であり、前桁３と根太掛け４の中間部において、左右方向に延びている。大引き９は束柱２ｃによって支持されており、大引き９の上面は根太６を支持する。
【００１３】
根太６は、前桁３、根太掛け４及び大引き９と略直交して延びる断面略矩形の中空形材であり、左右の間隔をあけて複数の根太６，６…が前桁３と根太掛け４間に架設してある。また、根太６の上面には、根太６と直交するように床材８が長手方向を左右方向として床１の出幅方向に複数敷設され、略Ｔ字形状の床材固定具８１及び略Ｚ字形状の床材固定具８２を介して上方からそれぞれネジ止めしてある。また、根太６の上面には、床材調整材７が上方からネジ止めしてある。
【００１４】
床材８は、中空部を有し、左右方向に延びる板材であって、妻桁５，５間に架設してある。床材８の短手方向端部に係止する床材固定具８１，８２が、根太６にネジ止めされることによって、床材８は根太６上に固定される。
【００１５】
床材調整材７は、図４に示すように、中空部７７を有し、左右方向に延びる部材である。長手方向は床材８と略同じ長さであるが、短手方向の幅は床材８よりも短い。床材調整材７は、重なり代７１，７２と、壁部７５，７６と、ネジ止め部７３を備える。詳しくは、一方側と他方側に間隔をあけて二つの壁部７５，７６が立設しており、二つの壁部７５，７６の間が中空部７７となっている。壁部７５，７６の上端には、他方側へ向かって延出する重なり代７１，７２が形成してある。重なり代７１，７２は、左右方向に段部７４が形成してあるため、他方側の重なり代７２が一方側の重なり代７１よりも高くなっている。一方側の重なり代７１の上面は、床材８の上面と略面一である。他方側の重なり代７２の下面は、隣接する床材調整材７の一方側の重なり代７１又は床材８の上面に当接して重なり合う。また、壁部７５，７６の下端には、一方側へ向かって延出するネジ止め部７３が形成してある。ネジ止め部７３は根太６の上面に当接して、上方から根太６にネジ止めされる。ネジ止め部７３は隣接する床材調整材７の重なり代７１，７２又は床材カバー１０の下方に収納されるため、床材調整材７を根太６へ固定するネジが外観上見えず、意匠性が良い。
床材調整材７の使用例について説明する。例えば、図５（ａ）に示すように、一方側端部に配置された床材８と前桁３との間隔が広い場合は、他方側の重なり代７２と隣接する床材調整材７の一方側の重なり代７１又は床材８の端部が重なる幅を小さくして、床材調整材７同士の間隔を広くあけて調整することができる。また、図５（ｂ）に示すように、一方側端部に配置された床材８と前桁３との間隔が狭い場合は、他方側の重なり代７２と隣接する床材調整材７の一方側の重なり代７１又は床材８の端部が重なる幅を大きくして、床材調整材７同士の間隔を狭くして調整することができる。このように、床材調整材７の数だけでなく、重なり代７１，７２が重なり合う幅を調整することによって、さまざまな出幅の床１に対応することができる。
【００１６】
床材カバー１０，１１は、断面略Ｔ字形状の長尺部材である。左右方向に延びる床材カバー１０は、前桁３又は根太掛け４の少なくとも一方側に上から取り付けられて、床材調整材７と前桁３又は根太掛け４との隙間を塞ぐ。また、床の出幅方向に延びる床材カバー１１は、左右の妻桁５，５に上から取り付けられて、床材８の長手方向端部と妻桁５との隙間を塞ぐ。図１から図８に示す実施形態においては、一つの床材カバー１０が一方側端部に配置された床材調整材７と前桁３との隙間を上方から塞ぐように取り付けてあり、前桁３の床材カバー取付部３ｂに上方からネジ止めしてある。そして、さらに二つの床材カバー１１，１１が左右の妻桁５，５と床材８との隙間を上方から塞ぐようにそれぞれ取り付けてあり、妻桁５，５の上端部へそれぞれ上方からネジ止めしてある。床材カバー１０の上面は床材調整材７の他方側重なり代７２の上面と略面一であり、床材カバー１０の他方側端部の下面は床材調整材７の一方側重なり代７１の上面と当接する。図５（ｂ）に示すように、前桁３に取り付けられる床材カバー１０の他方側端部の下方には一方側の端部に配置された床材調整材７の一方側重なり代７１を収納可能である。
【００１７】
次に、本発明の床１の施工手順について説明する。
まず、建物の外壁Ｘに根太掛け４を固定する。そして、根太掛け４の左右両端に躯体方立２ｂ，２ｂを取り付け、外壁Ｘと固定する。外壁Ｘから間隔をあけて一方側に配置する柱２ａ及び束柱２ｃには、前桁３をネジ止めし、躯体方立２ｂと柱２ａの間には、妻桁５をネジ止めする。前桁３と根太掛け４の中間部には左右方向に延びる大引き９をネジ止めする。前桁３と根太掛け４の間に根太６，６…をネジ止めすると、床１の骨組みが完成する。次に、根太６上に床材８を敷設していく。床材８は、図６（ａ）に示すように、長手方向を左右方向として、根太掛け４側（他方側）から順次敷設する。図６（ｂ）に示すように、床材８は短手方向両端部において略Ｔ字形状の床材固定具８１が長手方向に沿って複数ネジ止めされることによって、床材固定具８１を介して根太６に固定される。そして、一方側端部に配置された床材８は、略Ｚ字形状の床材固定具８２によって根太６に固定される。次に、図７に示すように、一方側端部に配置された床材８と前桁３との間隔に応じて、適宜数及び適宜間隔で、床材調整材７が床材８側（他方側）から順次ネジ止めされる。最後に、図８に示すように、前桁３と床材調整材７との隙間、及び妻桁５，５と床材８の長手方向端部との隙間を覆うように、三箇所にそれぞれ床材カバー１０，１１，１１が上方からネジ止めされて、床１が完成する。
【００１８】
次に、本発明の床の他の実施形態を図９に基づいて説明する。
ここでは、左右方向に延びる床材カバー１０を根太掛け４側に取り付ける場合を示し、根太掛け４側を一方側、前桁３側を他方側とする。各部材の構成は先に述べた実施形態と同じである。床材８は、他方側から順次敷設してあり、一方側の端部に取り付けられた床材８と根太掛け４との間には、床材調整材７をネジ止めしてある。そして、前桁３と他方側端部に配置された床材８との隙間、及び、一方側の端部に取り付けられた床材調整材７と根太掛け４との隙間、を上方から覆うように、それぞれ床材カバー１０が上方からネジ止めしてある。根太掛け４にネジ止めされた床材カバー１０は、他方側端部が一方側の端部に配置された床材調整材７の一方側重なり代７１の上面に当接しており、前桁３にネジ止めされた床材カバー１０は、一方側端部が他方側の端部に配置された床材８の上面に当接している。
【００１９】
このように構成した床１によれば、床材調整材７の重なり代７１、７２は、隣接する床材調整材７又は床材８と重なり合うため、床材調整材７によって幅の調整が可能であり、施工性に優れる。また、左右方向に延びる床材カバー１０は、前桁３又は根太掛け４の少なくとも一方側に上から取り付けてあり、床材調整材７も一方側にネジ止めされているので、床材カバー１０を外すと床材調整材７のネジ止め部７３が露出し、床材調整材７や床材８を一方側から順次取り外すことが可能であり、これらの部材の交換が容易であることから、メンテナンス性が良い。
床材調整材７の下部には、一方側へ向かって延出するネジ止め部７３が形成してあり、ネジ止め部７３が根太６へ当接しているので、長いネジを必要とせず、床材調整材７の根太６への取り付けが容易である。さらに、床材調整材７は一方側と他方側に間隔をあけて立設する二つの壁部７５，７６を有し、壁部７５，７６の上端には、他方側へ向かって延出する重なり代７１，７２が形成してあり、壁部７５，７６の下端には、一方側へ向かって延出するネジ止め部７３が形成してある。この構成によって、他方側の重なり代７２が一方側の重なり代７１へ重なった際に中空部７７の上部に位置するため、床材調整材７の強度が確保できる。また、重なり代７１，７２が重なり合う範囲で、隣接する床材調整材７同士を最大限離しても、床材調整材７を根太６へ固定するためのネジが見えないので意匠性が良い。
【００２０】
本発明は、上記の実施形態に限定されない。例えば、床材カバーと床材調整材は、前桁側及び根太掛け側の両方に取り付けられるものであってもよい。そして、前後左右いかなる寸法の床にも適用可能であり、寸法に合わせて大引きの有無、束柱の数、床材、及び床材調整材の数を適宜決定できる。また、用途としてはデッキやテラス等の簡易構造物の床に限定されるものではなく、様々な構造物の床として広く適用可能である。
【符号の説明】
【００２１】
１      床
２ａ    柱
２ｂ    躯体方立
３      前桁
４      根太掛け
５      妻桁
６      根太
７      床材調整材
８      床材
９      大引き
１０      床材カバー
１１      床材カバー
７１      重なり代（一方側）
７２      重なり代（他方側）
７３      ネジ止め部
【図１】
2019178510.tif 000003
【図２】
2019178510.tif 000004
【図３】
2019178510.tif 000005
【図４】
2019178510.tif 000006
【図５】
2019178510.tif 000007
【図６】
2019178510.tif 000008
【図７】
2019178510.tif 000009
【図８】
2019178510.tif 000010
【図９】
2019178510.tif 000011